(57)【要約】【課題】収容性を容易に変更することの可能な宅配ロッカーを提供する。【解決手段】宅配ロッカーは、複数の内側パネル５０と、扉部材４０と、柱部材６０〜６３とを備える。複数の内側パネル５０は、箱状に形成され、荷物を収容可能な収容空間Ｓ１を内部に有するとともに、その前面に開口部を有し、積層して配置される。扉部材４０は、内側パネル５０の開口部に配置され、開口部を開閉する。柱部材６０〜６３は、複数の内側パネル５０に連結され、内側パネルの積層体を支持する。【選択図】図２
2019165870.tif 000002
【特許請求の範囲】
【請求項１】
箱状に形成され、荷物を収容可能な収容空間を内部に有するとともに、その前面に開口部を有し、積層して配置される複数の内側パネルと、
前記内側パネルの開口部に配置され、前記開口部を開閉する扉部材と、
複数の前記内側パネルに連結され、前記内側パネルの積層体を支持する柱部材と、を備える
宅配ロッカー。
【請求項２】
前記内側パネルの外周面と所定の間隔を有して対向するように配置され、前記柱部材に組み付けられる外側パネルを更に備える
請求項１に記載の宅配ロッカー。
【請求項３】
前記外側パネルには、前記内側パネルの積層体と前記外側パネルとの間に形成される空間から外部に貫通する貫通孔が形成されている
請求項２に記載の宅配ロッカー。
【請求項４】
前記外側パネルには、複数の前記内側パネルの積層体の底面に対向して配置される底板部が含まれ、
前記底板部には、前記貫通孔が形成されている
請求項３に記載の宅配ロッカー。
【請求項５】
前記内側パネルの積層体が複数並べて配置され、
前記内側パネルの積層体と前記外側パネルとの間に形成される空間を内部空間とするとき、
複数の前記内側パネルの積層体のそれぞれに対応する内部空間が連通されている
請求項２〜４のいずれか一項に記載の宅配ロッカー。
【請求項６】
前記内側パネルの積層体と前記外側パネルとの間に形成される空間に存在する空気を外部に送風する送風装置を更に備える
請求項２〜５のいずれか一項に記載の宅配ロッカー。
【発明の詳細な説明】
【技術分野】
【０００１】
本開示は、荷物を収容可能な宅配ロッカーに関する。
【背景技術】
【０００２】
従来、特許文献１に記載の宅配ロッカーがある。特許文献１に記載の宅配ロッカーは、ボックス本体と、扉とを備えている。ボックス本体の内部には、ボックス本体の内部空間を相互に独立した２つの収容空間に仕切る棚板が形成されている。扉は、２つの収容空間の全面の開口部に対して個々に開閉可能に取り付けられている。
【先行技術文献】
【特許文献】
【０００３】
【特許文献１】特開２０１６−３４４０４号公報
【発明の概要】
【発明が解決しようとする課題】
【０００４】
ところで、宅配ロッカーでは、使用者の要求に応じて収容空間の大きさを変更する必要がある。この点、特許文献１に記載の宅配ロッカーにおいて収容空間の大きさを変更する場合、ボックス本体全体の形状を変更しなければならない。すなわち、複数の使用者に対応した宅配ロッカーを製造する際には、使用者毎にボックス本体の設計を行う必要がある。これが、宅配ロッカーの製造コストを悪化させる要因の一つとなっている。
【０００５】
本開示は、こうした実情に鑑みてなされたものであり、その目的は、収容性を容易に変更することの可能な宅配ロッカーを提供することにある。
【課題を解決するための手段】
【０００６】
上記課題を解決する宅配ロッカーは、複数の内側パネルと、扉部材と、柱部材と、を備える。複数の内側パネルは、箱状に形成され、荷物を収容可能な収容空間を内部に有するとともに、その前面に開口部を有し、積層して配置される。扉部材は、内側パネルの開口部に配置され、開口部を開閉する。柱部材は、複数の内側パネルに連結され、内側パネルの積層体を支持する。
【０００７】
この構成によれば、柱部材により支持される内側パネルの形状を変更するだけで、収容空間の数や大きさを変更することができる。よって、収容空間の数や大きさを変更する際に全体構造の設計変更が必要な従来の宅配ロッカーと比較すると、一部の構成部品である内側パネルの形状変更のみで収容空間の数や大きさを変更することができるため、収容性を容易に変更することが可能である。
【０００８】
上記の宅配ロッカーにおいて、内側パネルの外周面と所定の間隔を有して対向するように配置され、柱部材に組み付けられる外側パネルを更に備えることが好ましい。
この構成によれば、仮に外側パネルの外部から内部に雨水等が侵入した場合に、内側パネルと外側パネルとの間に隙間を雨水等が流れるため、内側パネルの収容空間に雨水等が侵入し難くなる。したがって、収容空間に収容された荷物が被水し難くなる。
【０００９】
上記の宅配ロッカーにおいて、外側パネルには、内側パネルの積層体と外側パネルとの間に形成される空間から外部に貫通する貫通孔が形成されていることが好ましい。
この構成によれば、内側パネルと外側パネルとの間の隙間に進入した雨水等が貫通孔を通じて外部に流出されるため、収容空間に収容された荷物が更に被水し難くなる。
【００１０】
上記の宅配ロッカーにおいて、外側パネルには、複数の内側パネルの積層体の底面に対向して配置される底板部が含まれ、底板部には、貫通孔が形成されていることが好ましい。
この構成によれば、排水性を向上させることができる。
【００１１】
上記の宅配ロッカーにおいて、内側パネルの積層体が複数並べて配置され、内側パネルの積層体と外側パネルとの間に形成される空間を内部空間とするとき、複数の内側パネルの積層体のそれぞれに対応する内部空間が連通されていることが好ましい。
この構成によれば、内側パネルの積層体が複数並べて配置されている場合でも、排水性を確保することができる。
【００１２】
上記の宅配ロッカーにおいて、内側パネルの積層体と外側パネルとの間に形成される空間に存在する空気を外部に送風する送風装置を更に備えることが好ましい。
上記の宅配ロッカーでは、例えば外側パネルに日光が照射されることにより外側パネルの温度が上昇すると、その外側パネルの熱が、内側パネルと外側パネルとの間の隙間に存在する空気を介して内側パネルに伝達される可能性がある。これにより内側パネルの温度が上昇すると、その収容空間に収容された荷物の温度が上昇するため、その種類によっては、荷物に悪影響を与えるおそれがある。
【００１３】
この点、上記構成によれば、内側パネルと外側パネルとの間の隙間に存在する空気が送風装置によって外部に送風されるため、外側パネルから内側パネルに熱が伝達され難くなる。このような断熱効果により、収容空間に収容された荷物の温度上昇を抑制することができる。
【発明の効果】
【００１４】
本開示によれば、収容性を容易に変更することの可能な宅配ロッカーを提供できる。
【図面の簡単な説明】
【００１５】
【図１】図１は、第１実施形態の宅配ロッカーの斜視構造を示す斜視図である。
【図２】図２は、第１実施形態のロッカー部の断面斜視構造を示す斜視図である。
【図３】図３は、第１実施形態のロッカー部の断面構造を示す断面図である。
【図４】図４は、図３のＩＶ−ＩＶ線に沿った断面構造を示す断面図である。
【図５】図５は、第１実施形態の変形例の宅配ロッカーの断面斜視構造を示す斜視図である。
【図６】図６は、第１実施形態の変形例の宅配ロッカーの断面構造を示す断面図である。
【図７】図７は、第２実施形態の宅配ロッカーの側面構造を示す側面図である。
【図８】図８は、第２実施形態の宅配ロッカーの背面構造を示す背面図である。
【発明を実施するための形態】
【００１６】
以下、宅配ロッカーの一実施形態について図面を参照しながら説明する。説明の理解を容易にするため、各図面において同一の構成要素に対しては可能な限り同一の符号を付して、重複する説明は省略する。
＜第１実施形態＞
はじめに、図１〜図４を参照して、第１実施形態の宅配ロッカー１０について説明する。図１に示される本実施形態の宅配ロッカー１０は、例えばマンションの内部や、企業の屋外の敷地内に配置される。宅配ロッカー１０は、本体部２０と、操作部３０とを備えている。
【００１７】
本体部２０は、３つのロッカー部２１〜２３をＸ軸方向に連結した構造からなる。各ロッカー部２１〜２３は、Ｚ軸方向に延びるように直方体状に形成されている。Ｚ軸方向は、鉛直方向に相当する。また、Ｚ軸方向のうちの一方向であるＺ１軸方向は、鉛直方向上方に相当し、Ｚ２軸方向は、鉛直方向下方に相当する。以下では、Ｘ軸方向及びＺ軸方向の両方に直交する方向をＹ軸方向と称する。
【００１８】
各ロッカー部２１〜２３の内部には、荷物を収容可能な複数の収容空間がＺ軸方向に並べて形成されている。各ロッカー部２１〜２３は、複数の収容空間のそれぞれの開口部に扉部材４０を有している。扉部材４０は、ロッカー部２１〜２３の各収容空間を開閉する。操作部３０は、タッチパネル等を備えており、宅配業者、又は荷物の受取人であるユーザが宅配ロッカー１０を操作する部分である。
【００１９】
この宅配ロッカー１０では、例えば宅配業者が荷物を配達した際に、受取人であるユーザが不在であった場合、宅配業者は、操作部３０を操作することにより、一つ又は複数の扉部材４０を開けることができる。これにより、宅配業者は、開状態になった扉部材４０に対応する収容空間に荷物を収容することができる。その後、ユーザは、都合の良い時期に操作部３０を操作することで荷物を受け取ることが可能である。
【００２０】
なお、宅配ロッカー１０は、ユーザが荷物を特定者に送りたい場合にも利用可能である。この場合、ユーザは、操作部３０を操作することにより、送りたい荷物を宅配ロッカー１０の収容空間に収容する。その後、宅配業者が操作部３０を操作して荷物を集荷することにより、宅配業者が荷物を特定者に配達する。
【００２１】
このように、宅配ロッカー１０は、ユーザと宅配業者との間での荷物の受け取りを代行する装置である。
次に、図２〜図４を参照して、ロッカー部２１〜２３の構造について詳しく説明する。なお、各ロッカー部２１〜２３の基本構造は同一であるため、以下では、ロッカー部２１の構造について代表して説明する。
【００２２】
図２及び図３に示されるように、ロッカー部２１は、扉部材４０と、内側パネル５０と、柱部材６０〜６３と、外側パネル７０と、架台部８０とを備えている。
内側パネル５０は、それぞれ平板状に形成された底板部５１、左側板部５２、右側板部５３、及び背板部５４をボルトやリベット等により箱状に組み合わせた構造を有している。内側パネル５０は、底板部５１、側板部５２，５３、及び背板部５４の配置されていない前面及び上部において開口している。内側パネル５０は、金属材料等により形成されている。
【００２３】
図４に示されるように、ロッカー部２１の内部では、複数の内側パネル５０がＺ軸方向に積層して配置されている。Ｚ軸方向に隣り合う内側パネル５０のうち、上方に配置された内側パネル５０の底板部５１により、下方に配置された内側パネル５０の上部の開口部分が閉塞されている。内側パネル５０の底板部５１、側板部５２，５３、背板部５４、並びに隣り合う内側パネルの底板部５１によって囲まれる空間により、荷物を収容可能な収容空間Ｓ１が形成されている。
【００２４】
図４に示されるように、内側パネル５０の左側板部５２は、その上方に位置する内側パネル５０の左側板部５２と左側連結部材５５を介して連結されている。また、内側パネル５０の右側板部５３は、その上方に位置する内側パネル５０の右側板部５３と右側連結部材５６を介して連結されている。これらの連結部材５５，５６により、隣り合う内側パネル５０，５０がＺ軸方向に互いに連結されている。ロッカー部２１では、各連結部材５５，５６が複数用いられることにより、複数の内側パネル５０がＺ軸方向に互いに連結されている。
【００２５】
以下では、このようなＺ軸方向に積層して配置された複数の内側パネル５０をまとめて「内側パネル５０の積層体」とも称する。また、図２及び図３に示されるように、内側パネル５０の積層体においてＺ軸方向に平行な４辺を符号Ｌ１〜Ｌ４で表す。
図２及び図３に示されるように、複数の柱部材６０〜６３は、内側パネル５０の積層体の４つの辺Ｌ１〜Ｌ４に沿ってそれぞれ配置されている。柱部材６０〜６３は、Ｚ軸方向に延びるように形成された四角筒状の金属部材からなる。
【００２６】
柱部材６０〜６３のうち、内側パネル５０の積層体の左後方の辺Ｌ１に沿って配置される左後方柱部材６０は、内側パネル５０の積層体の左側面に対して平行に延びる第１突出部６００と、内側パネル５０の積層体の背面に対して平行に延びる第２突出部６０１とを有している。
【００２７】
同様に、内側パネル５０の積層体の右後方の辺Ｌ２に沿って配置される右後方柱部材６１は、内側パネル５０の積層体の右側面に対して平行に延びる第１突出部６１０と、内側パネル５０の積層体の背面に対して平行に延びる第２突出部６１１とを有している。
また、内側パネル５０の積層体の左前方の辺Ｌ３に沿って配置される左前方柱部材６２は、内側パネル５０の積層体の左側面に対して平行に延びる第１突出部６２０と、内側パネル５０の積層体の前面に対して平行に延びる第２突出部６２１とを有している。
【００２８】
同様に、内側パネル５０の積層体の右前方の辺Ｌ４に沿って配置される右前方柱部材６３は、内側パネル５０の積層体の右側面に対して平行に延びる第１突出部６３０と、内側パネル５０の積層体の前面に対して平行に延びる第２突出部６３１とを有している。
図３に示されるように、左後方柱部材６０の第１突出部６００及び左前方柱部材６２の第１突出部６２０には、左側連結部材５５がボルトやナット等により連結されている。また、右後方柱部材６１の第１突出部６１０及び右前方柱部材６３の第１突出部６３０には、右側連結部材５６がボルトやナット等により連結されている。よって、内側パネル５０の積層体は、左側連結部材５５及び右側連結部材５６を介して柱部材６０〜６３により支持されている。
【００２９】
左後方柱部材６０の第２突出部６０１及び右後方柱部材６１の第２突出部６１１には、平板状の背板部７１がボルトやナット等により組み付けられている。図２に示されるように、背板部７１は、内側パネル５０の積層体の背面と所定の隙間を有して対向配置されている。
【００３０】
また、左後方柱部材６０の第１突出部６００及び左前方柱部材６２の第１突出部６２０には、平板状の左側板部７２がボルトやナット等により組み付けられている。左側板部７２は、内側パネル５０の積層体の左側面と所定の隙間を有して対向配置されている。
同様に、右後方柱部材６１の第１突出部６１０及び右前方柱部材６３の第１突出部６３０には、平板状の右側板部７３がボルトやナット等により組み付けられている。右側板部７３は、内側パネル５０の積層体の右側面と所定の隙間を有して対向配置されている。
【００３１】
図４に示されるように、各柱部材６０〜６３の上端部には、天板部７４がボルトやナット等により組み付けられている。天板部７４は、内側パネル５０の積層体の上面に対向するように配置されている。また、図１に示されるように、各柱部材６０〜６３の下端部には、底板部７５がボルトやナット等により組み付けられている。底板部７５は、内側パネル５０の積層体の底面に対向するように配置されている。
【００３２】
これらの背板部７１、左側板部７２、右側板部７３、天板部７４、及び底板部７５により外側パネル７０が構成されている。すなわち、外側パネル７０は、内側パネル５０の積層体の周囲を囲うように配置されており、内側パネル５０の積層体を外部環境から保護している。また、図２〜図３に示されるように、外側パネル７０の背板部７１と内側パネル５０の積層体との間、外側パネル７０の左側板部７２と内側パネル５０の積層体との間、及び外側パネル７０の右側板部７３と内側パネル５０の積層体との間には隙間がそれぞれ形成されている。すなわち、宅配ロッカー１０は二重構造となっている。以下では、外側パネル７０と内側パネル５０の積層体との間に形成されている空間を「内部空間Ｓ２」と称する。
【００３３】
図１に示されるように、底板部７５の底面は、ボルトやナット等により架台部８０に組み付けられている。架台部８０は、アンカー等により地面や土台に固定されている。これにより、底板部７５を地面や土台から離間させて配置することが可能となっている。
図３に示されるように、底板部７５には、宅配ロッカー１０の内部空間Ｓ２から架台部８０の内部に貫通する貫通孔７５０が形成されている。これにより、例えば天板部７４と側板部７２，７３との間に形成される隙間から雨水等が侵入した場合、この雨水は、内部空間Ｓ２から貫通孔７５０を通じて外部に排出される。そのため、雨水が内側パネル５０の収容空間Ｓ１内に侵入し難くなっている。
【００３４】
図２に示されるように、左前方柱部材６２の第２突出部６２１及び右前方柱部材６３の第２突出部６３１には、Ｘ軸方向に延びるように形成された仕切り部材９０がボルトやナット等により組み付けられている。図１に示されるように、仕切り部材９０は、Ｚ軸方向における複数の内側パネル５０のそれぞれの境界部分に対応するように配置されている。
【００３５】
図３に示されるように、扉部材４０の右端部は、軸部９１により回転可能に支持されている。軸部９１は、仕切り部材９０に固定されている。扉部材４０の左端部には、錠装置１００に係合する爪部４１が形成されている。錠装置１００は、内側パネル５０の左側板部５２の外面及び左前方柱部材６２の第１突出部６２０にボルトやナット等により固定されている。錠装置１００に爪部４１が係合することにより、扉部材４０が閉状態に保持されている。宅配業者やユーザは、操作部３０を操作することにより、錠装置１００に対する爪部４１の係合を解除して扉部材４０を開けることができる。これにより、宅配業者やユーザは、内側パネル５０の収容空間Ｓ１に荷物を収容したり、収容空間Ｓ１内の荷物を取り出したりすることができる。
【００３６】
図１に示されるように、ロッカー部２２，２３は、ロッカー部２１と略同一の構造を有している。但し、ロッカー部２２は、複数の内側パネル５０に代えて操作部３０が設けられている点でロッカー部２１と異なる。また、ロッカー部２３は、ロッカー部２１に用いられる扉部材４０及び内側パネル５０よりも大きい扉部材４０及び内側パネル５０を用いている点でロッカー部２１と異なる。これらのロッカー部２１〜２３がＸ軸方向に連結されることにより宅配ロッカー１０が構成されている。
【００３７】
以上説明した本実施形態の宅配ロッカー１０によれば、以下の（１）〜（３）に示される作用及び効果を得ることができる。
（１）柱部材６０〜６３に支持されている内側パネル５０の形状を変更するだけで、任意の数や大きさを変更することができる。例えば図１に示されるロッカー部２３のように、ロッカー部２１に用いられる内側パネル５０よりも大きい収容空間Ｓ１を有する内側パネルを用いれば、より大きい荷物を収容することが可能となる。このように、本実施形態の宅配ロッカー１０では、収容空間の数や大きさを変更する際に全体構造の設計変更が必要な従来の宅配ロッカーと比較すると、一部の構成部品である内側パネル５０の形状変更のみで収容空間の数や大きさを変更することができるため、収容性を容易に変更することが可能である。
【００３８】
（２）宅配ロッカー１０は、内側パネル５０の外周面と所定の間隔を有して対向するように配置される外側パネル７０を備えている。外側パネル７０は、柱部材６０〜６３に組み付けられている。このような構成によれば、仮に外側パネル７０の外部から内部に雨水等が侵入した場合に、内側パネル５０と外側パネル７０との間の隙間、すなわち内部空間Ｓ２に雨水等が流れるため、内側パネル５０の収容空間Ｓ１に雨水等が侵入し難くなる。したがって、収容空間Ｓ１に収容された荷物が被水し難くなる。
【００３９】
（３）外側パネル７０の底板部７５には、内部空間Ｓ２から外部に貫通する貫通孔７５０が形成されている。これにより、内部空間Ｓ２に侵入した雨水等が貫通孔７５０を通じて外部に排出されるため、排水性を向上させることができる。
（変形例）
次に、第１実施形態の宅配ロッカー１０の変形例について説明する。
【００４０】
図５及び図６に示されるように、本実施形態の宅配ロッカー１０では、ロッカー部２１とロッカー部２２との間に配置されるそれぞれの外側パネルの側板部、具体的にはロッカー部２１の外側パネル７０の右側板部７３及びロッカー部２２の外側パネル７０の左側板部７２が排除されている。同様に、ロッカー部２２とロッカー部２３との間に配置されるそれぞれの外側パネルの側板部、具体的にはロッカー部２２の外側パネル７０の右側板部７３及びロッカー部２３の外側パネル７０の左側板部７２が排除されている。
【００４１】
この宅配ロッカーでは、ロッカー部２１の右後方柱部材６１とロッカー部２２の左後方柱部材６０とがボルトやリベット等により連結され、且つロッカー部２１の右前方柱部材６３とロッカー部２２の左前方柱部材６２とがボルトやリベット等により連結されることにより、ロッカー部２１とロッカー部２２とが連結されている。また、ロッカー部２２の右後方柱部材６１とロッカー部２３の左後方柱部材６０とがボルトやリベット等により連結され、且つロッカー部２２の右前方柱部材６３とロッカー部２３の左前方柱部材６２とがボルトやリベット等により連結されることにより、ロッカー部２２とロッカー部２３とが連結されている。
【００４２】
このような構成によれば、各ロッカー部２１〜２３に対応する内部空間Ｓ１１〜Ｓ１３が連通されているため、ロッカー部２１〜２３を並べて配置した場合でも、内部空間Ｓ１１〜Ｓ１３の排水性を確保することができる。
＜第２実施形態＞
次に、宅配ロッカー１０の第２実施形態について説明する。以下、図５及び図６に示される宅配ロッカー１０との相違点を中心に説明する。
【００４３】
図７に示されるように、本実施形態のロッカー部２３の外側パネル７０の右側板部７３の下方部分には、外部の空気をロッカー部２３の内部空間Ｓ１３に取り込むための空気取り込み口１１０が形成されている。空気取り込み口１１０には、外部からの雨水やごみ等の侵入を抑制するためのルーバ１１１が設けられている。
【００４４】
図８に示されるように、ロッカー部２２の外側パネル７０の背板部７１の上方部分には、空気排出口１２０が設けられている。空気排出口１２０には、ルーバ１２１と送風装置１２２とが設けられている。送風装置１２２は、電力の供給に基づき回転することにより、ロッカー部２１〜２３の内部空間Ｓ１１〜Ｓ１３の空気を外部に送風する。
【００４５】
以上説明した本実施形態の宅配ロッカー１０によれば、以下の（４）に示される作用及び効果を更に得ることができる。
（４）宅配ロッカー１０が屋外に設置されている場合、各ロッカー部２１〜２３の外側パネル７０に日光が照射されることにより、各ロッカー部２１〜２３の外側パネル７０の温度が上昇する可能性がある。この外側パネル７０の熱が、各ロッカー部２１〜２３の内部空間Ｓ１１〜Ｓ１３に存在する空気を介して内側パネル５０に伝達されると、内側パネル５０の温度が上昇する。これにより、内側パネル５０の収容空間Ｓ１に収容された荷物の温度が上昇すると、その種類によっては、荷物に悪影響を与えるおそれがある。この点、本実施形態の宅配ロッカー１０では、各ロッカー部２１〜２３の内部空間Ｓ１１〜Ｓ１３に存在する空気が送風装置１２２によって外部に送風されるため、各ロッカー部２１〜２３の外側パネル７０から内側パネル５０に熱が伝達され難くなる。このような断熱効果により、収容空間Ｓ１に収容された荷物の温度上昇を抑制することができる。
【００４６】
＜他の実施形態＞
なお、上記実施形態は、以下の形態にて実施することもできる。
・排水のための貫通孔７５０は、外側パネル７０の底板部７５に限らず、例えば外側パネル７０の背板部７１や側板部７２，７３等に形成されていてもよい。
【００４７】
・第２実施形態の空気取り込み口１１０及び空気排出口１２０のそれぞれの位置や形状は任意に変更可能である。また、空気取り込み口１１０及び空気排出口１２０は、ロッカー部２１〜２３のそれぞれに個別に設けられていてもよい。
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００４８】
Ｓ１：収容空間
１０：宅配ロッカー
４０：扉部材
５０：内側パネル
６０〜６３：柱部材
７０：外側パネル
７５：底板部
１２２：送風装置
７５０：貫通孔
【図１】
2019165870.tif 000003
【図２】
2019165870.tif 000004
【図３】
2019165870.tif 000005
【図４】
2019165870.tif 000006
【図５】
2019165870.tif 000007
【図６】
2019165870.tif 000008
【図７】
2019165870.tif 000009
【図８】
2019165870.tif 000010